(57)【要約】【課題】下脚を起こすことで、自動的に上脚と下脚が一直線上に係止固定することができると共に、係止具を上方に押し上げるのみで下脚を屈折することができ、簡単に幕体の取り付け、取り外しができると共に、組立て施工ができる屈折式テント脚を提供する。【解決手段】上脚及び下脚を設け、該下脚の上端部に略半割円筒形の支持板をピンにて固定すると共に、同ピンにて上脚及び下脚を屈折自在に形成し、上脚の下部に上下動する支持板の先端部を係止固定する係止部を設けてなることを特徴とする。【選択図】  図１
2004270428.tif 000002
【特許請求の範囲】
【請求項１】
上脚及び下脚を設け、該下脚の上端部に略半割円筒形の支持板をピンにて固定すると共に、同ピンにて上脚及び下脚を屈折自在に形成し、上脚の下部に上下動する支持板の先端部を係止固定する係止部を設けてなることを特徴とする屈折式テント脚。
【請求項２】
支持板の先端部を円弧状に形成すると共に、係止具が、下端外周を円形状の係止口を形成すると共に、圧縮スプリングにて上下動させ、下脚を起こして立設することにより自動的に支持板の先端部が係止具の係止口内に入り込み、係止固定されることを特徴とする請求項１記載の屈折式テント脚。
【請求項３】
係止具を上方に移動させることにより、支持板の先端部を係止解除でき、下脚を屈折できることを特徴とする請求項１又は２記載の屈折式テント脚。
【発明の詳細な説明】
【０００１】
【発明の属する技術分野】
本発明は、下脚が折れ、幕体の取り付け、取り外しが簡単にできる各種テントにおける屈折式テント脚に関するものである。
【０００２】
【従来の技術】
従来の技術として、上脚及び下脚を設け、上脚の下端部に、割円筒形の中央左右に凸起を形成してこれに止ピンを取り付けたパイプガードの上端を固定し、又下脚の上端部には先端にフランジを設けた小径の固定心棒を固定して外周に設けた鞘管内を摺動自在に挿入し、さらに該鞘管の先端に横方向に取り付けた筒形丁番を上記パイプガードの止ピンにより鞘管を回動自在に係止して成る屈折式テント脚がある。（特許文献１参照）
【０００３】
【特許文献１】
実願昭６０−１９８９６５号公報（実用新案登録請求の範囲、図１）
【０００４】
【発明が解決しようとする課題】
上記実用新案は弊社が出願したものであるが、上記構造では、下脚を下方へ一杯に引っ張ることにより、フランジにより固定心棒は鞘管の最先端に止まり、下脚を回動すると鞘管も一緒に回動して筒形丁番は止ピンにより回転し、鞘管はパイプガードの下端内側へ嵌合して上脚と下脚とは一直線になるもので、取り付けが自動的に行えるものではないので、手間と労力を要する。
また、下脚を屈折する場合も上脚を上方に押し上げなければならず、複数の作業者を必要としていた。
【０００５】
本発明は、上記の問題点に鑑みなされたもので、その目的は下脚を起こすことで、自動的に上脚と下脚が一直線上に係止固定することができると共に、係止具を上方に押し上げるのみで下脚を屈折することができ、簡単に幕体の取り付け、取り外しができると共に、組立て施工ができる屈折式テント脚を提供するものである。
【０００６】
【課題を解決するための手段】
上記課題を解決するための手段として、上脚及び下脚を設け、該下脚の上端部に略半割円筒形の支持板をピンにて固定すると共に、同ピンにて上脚及び下脚を屈折自在に形成し、上脚の下部に上下動する支持板の先端部を係止固定する係止部を設けてなること。また、支持板の先端部を円弧状に形成すると共に、係止具が、下端外周を円形状の係止口を形成すると共に、圧縮スプリングにて上下動させ、下脚を起こして立設することにより自動的に支持板の先端部が係止具の係止口内に入り込み、係止固定されること。さらに、係止具を上方に移動させることにより、支持板の先端部を係止解除でき、下脚を屈折できることを特徴とする。
【０００７】
【発明の実施の形態】
以下、本発明の屈折式テント脚について図面に基づいて詳細に説明する。
屈折式テント脚１は、円形パイプ状の上脚２と同様な下脚３を設け、該下脚３の上端部に略半割円筒形の支持板４をピン５にて固定すると共に、同ピン５にて上脚２の下端一側部及び下脚３の上端一側部を屈折自在に連結形成し、上脚２の下部に上下動する支持板４の上端部４ａを係止固定する係止具６を設けてなるものである。
なお、支持板４の先端部４ａは円弧状に形成するものとする。
また、係止具６はパイプ体６ａの下端外周を少し大きな円形状の係止口６ａ１を形成すると共に、上端に圧縮スプリング６ｂを設け、該圧縮スプリング６ｂにてパイプ体６ａを上下動させるもので、下脚３を起こして立設することにより自動的に支持板４の先端部４ａが係止具６の係止口６ａ１内に入り込み、係止固定されるものである。
さらに、上脚２には筋交い２ａを設けてある。（図１参照）
【０００８】
つづいて、屈折式テント脚１の使用例を下記に説明する。
予め下脚３が屈折した状態のテントＴを起こす場合を説明する。（図５参照）
まず、下脚３を持ち、上方に押し上げながら起こすことにより、支持板４の先端部４ａが係止具６のパイプ体６ａの係止口６ａ１に当接させ、そのまま起こすことにより先端部４ａが係止口６ａ１内に入り込む。（図２参照）
つまり、先端部４ａを円弧状に形成することにより、スムースに入り込むことができる。
この時、一旦圧縮スプリング６ｂはパイプ体６ａにて圧縮されるが、先端部４ａが係止口６ａ１に入り込んだ時点で圧縮スプリング６ｂが戻り、パイプ体６ａにて係止固定されるもので、上脚２と下脚３を一直線上に形成し、テントＴを組み立てることができるものである。（図３参照）
【０００９】
つぎに、屈折式テント脚１を屈折する場合は、係止具６を持って上方に引き上げることにより、支持板４の先端部４ａが係止具６のパイプ体６ａの係止口６ａ１より外れることにより下脚３を屈折し、折り畳むことができる。
この状態で、幕体Ｔ１の取り付け、取り外しが簡単・容易にできるものである。（図４・図５参照）
【００１０】
上記のように構成した屈折式テント脚１は、すべての脚に形成してなるもので、４本脚や６本脚等に対応できる。
【００１１】
【発明の効果】
１）、下脚を起こすことで、係止具にて自動的に上脚と下脚が一直線上に係止固定できる効果がある。
２）、係止具を上方に押し上げるのみで、下脚を屈折することができ、簡単・容易に幕体の取り付け、取り外しができる効果がある。
３）、支持板の先端部を円弧状に形成することにより、係止具の円形状の係止口にスムーズに入り込む効果がある。
４）、係止具が、パイプ体を圧縮スプリングにて上下動できるように構成しているため、確実に係止固定できる効果がある。
５）、脚を有する各種テントに対応できる効果がある。
【図面の簡単な説明】
【図１】本発明の一実施例を示す屈折式テント脚の下脚の屈折した状態の正面図。
【図２】本発明の一実施例を示す屈折式テント脚の下脚を起こしている状態の正面図。
【図３】本発明の一実施例を示す屈折式テント脚の上脚と下脚が一直線上に形成された状態の正面図。
【図４】本発明の一実施例を示す屈折式テント脚の下脚を屈折させた状態の正面図。
【図５】本発明の一実施例を示す屈折式テント脚を使用したテントの斜視図。
【符号の説明】
１―――屈折式テント脚
２―――上脚
３―――下脚
４―――支持板
５―――ピン
６―――係止具
Ｔ―――テント
Ｔ１――幕体
【図１】
2004270428.tif 000003
【図２】
2004270428.tif 000004
【図３】
2004270428.tif 000005
【図４】
2004270428.tif 000006
【図５】
2004270428.tif 000007